(57)【要約】      （修正有）【課題】就寝時等に使用することによって日々の治療を簡単に行うことが可能であって、比較的簡単な構成および使用方法により、健康回復、健康促進、体調改善等を実現可能な、身体調整器具を提供する。【解決手段】就寝時等の仰臥状態にて使用可能な身体調整器具１であって、複数の駒部１０と、駒部１０を連結させ得る連結紐部とを用いて構成されており、駒部１０が曲面部を有する形状に形成されており、駒部１０の曲面部が人体の背面部等に接触すべく、複数の駒部１０が連結紐部にて平面状に連結接続して、上記身体調整具を構成する。【選択図】図１
0003155580.tif 000002
【実用新案登録請求の範囲】
【請求項１】
就寝時等の仰臥状態にて使用可能な身体調整器具であって、
複数の駒部と、前記駒部を連結させ得る連結紐部とを用いて構成されており、
前記駒部が曲面部を有する形状に形成されており、
前記駒部の曲面部が人体の背面部等に接触すべく、複数の前記駒部が前記連結紐部にて平面状に連結接続されている
ことを特徴とする身体調整器具。
【請求項２】
それぞれの前記駒部が、隣接する前記駒部と所定間隔を有するように配置され、
前記所定間隔を維持可能なテンションで、前記駒部が、前記連結紐部を用いて連結接続されている
請求項１に記載の身体調整器具。
【請求項３】
前記駒部が樽形状に形成されており、
樽形状を有する前記駒部の平面部間を貫通すべく、前記平面部の略中央部に貫通孔部が設けられ、
前記駒部の前記貫通孔部に対して、連続して前記連結紐部を挿入することによって、複数の前記駒部が平面状に連結接続されている
請求項１または２に記載の身体調整器具。
【考案の詳細な説明】
【技術分野】
【０００１】
本考案は、就寝時等の仰臥状態にて使用可能な身体調整器具に関するもので、より具体的には、比較的簡単な構成および使用方法によって、健康回復、健康促進、体調改善等を実現可能な、身体調整器具に関するものである。
【背景技術】
【０００２】
運動不足、過剰運動、疲労、あるいは加齢等により、どのような環境・年齢の人であっても、腰痛、肩こり、あるいは筋肉痛等（以下、「体調不良等」ともいう。）の症状は、常日頃から起こり得るものである。
【０００３】
これらの体調不良等を解消するための従来技術にかかる方法としては、例えば、鍼、灸、整体、マッサージ、マッサージ器、あるいは外科治療等があげられる。
【先行技術文献】
【特許文献】
【０００４】
【特許文献１】実開平５−７６３６８号公報
【考案の概要】
【考案が解決しようとする課題】
【０００５】
しかしながら、上述した従来技術によれば、体調不良等の症状の改善は、それらの種々の治療等を行った際の一時的なもので、治療等の中断と同時に体調不良等が再発することが多い。
【０００６】
本件考案者は、以上のような経験を経て、身体の異常（体調不良等）、あるいは疲労については、その日のうちに改善し、日々治療を継続すべきであることに想到した。
【０００７】
すなわち、本件考案者は、体調不良等の症状の改善を恒久的に求める場合には、一時的な治療に頼るのではなく、日々継続可能な治療を続けていくことが重要であることに想到した。
【０００８】
そこで、本考案は、上記従来技術の問題を解決するためになされたものであり、就寝時等に使用することによって日々の治療を簡単に行うことが可能であって、比較的簡単な構成および使用方法により、健康回復、健康促進、体調改善等を実現可能な、身体調整器具を提供することを課題とする。
【課題を解決するための手段】
【０００９】
本考案は、上記課題を解決するためになされたものであり、就寝時等の仰臥状態にて使用可能な身体調整器具であって、複数の駒部と、前記駒部を連結させ得る連結紐部とを用いて構成されており、前記駒部が曲面部を有する形状に形成されており、前記駒部の曲面部が人体の背面部等に接触すべく、複数の前記駒部が前記連結紐部にて平面状に連結接続されていることを特徴としている。
【００１０】
このように構成された身体調整器具は、例えば、敷布団の上に置いた状態で使用される。すなわち、本考案によれば、敷布団の上に置かれた身体調整器具上に人が仰臥状態等に横になり、人体（例えば、背面部）と前記駒部（の曲面部）とが接触し、横になった人の自重等によって、人体のツボ等に刺激が与えられる。この際、本考案にかかる身体調整器具によれば、睡眠時間を利用して、複数の駒部の曲面部に接触することによって、人体（のツボ等）に刺激が与えられるため、比較的簡単な構成および使用方法で、日々の治療を簡単に行うことができる。
【００１１】
また、本考案にかかる身体調整器具は、それぞれの前記駒部が、隣接する前記駒部と所定間隔を有するように配置され、前記所定間隔を維持可能なテンション（張力）で、前記駒部が、前記連結紐部を用いて連結接続されている構成であることが好ましい。すなわち、本考案にかかる身体調整器具は、複数の前記駒部が前記連結紐部を用いて「緩く組み上げた構成」であることが好ましい。
【００１２】
この好ましい構成によれば、前記駒部が所定間隔を維持可能であるように緩く組み上げられているため、身体調整器具自身の取り扱いに関する自由度が増す。すなわち、必要に応じて、身体調整器具を折り曲げたり、丸めたりすることができる。このような構成によれば、折り曲げたり、丸めたりすることによって、身体調整器具の大きさや形状等を自由に変更して、適切に人体のツボ等の刺激を行うことができる。また、このような構成によれば、複数の前記駒部が前記連結紐部を用いて緩く組み上げられているため、適宜、折り曲げたり、丸めたりすることによって、自由に持ち運びすることができる。さらに、このような構成によれば（緩く組み上げられた構成によれば）、通気性も良好となるため、長時間使用しても蒸れることがない。
【００１３】
また、本考案にかかる身体調整器具は、前記駒部が樽形状に形成されており、樽形状を有する前記駒部の平面部間を貫通すべく、前記平面部の略中央部に貫通孔部が設けられ、前記駒部の前記貫通孔部に対して、連続して前記連結紐部を挿入することによって、複数の前記駒部が平面状に連結接続されている構成が好ましい。
【００１４】
この好ましい構成によれば、比較的簡単に、種々の作用効果（健康回復、健康促進、体調改善等）を有する身体調整器具を得ることができる。
【考案の効果】
【００１５】
本考案によれば、就寝時等に使用することによって日々の治療を簡単に行うことが可能であって、比較的簡単な構成および使用方法により、健康回復、健康促進、体調改善等を実現可能な、身体調整器具を得ることができる。
【図面の簡単な説明】
【００１６】
【図１】本考案の実施形態にかかる身体調整器具の概略斜視図を示したものである。
【図２】図１に示した身体調整器具のII部領域の拡大概略斜視図を示したものである。
【図３】本実施形態にかかる身体調整器具を構成する駒部の概略図を示したものであって、図３（ａ）は駒部の正面図を示し、図３（ｂ）は駒部の側面図を示している。
【図４】本実施形態にかかる身体調整器具の製造工程概略図を示したものであって、図４（ａ）は駒部の配置状態概略図を示し、図４（ｂ）は駒部の第一連結状態概略図を示し、図４（ｃ）は駒部の第二連結状態概略図を示し、図４（ｄ）は駒部の第三連結状態概略図を示している。
【図５】本実施形態にかかる身体調整器具の使用状態概略斜視図（一例）を示したものである。
【図６】本実施形態にかかる身体調整器具の折り曲げ状態概略図を示したものであって、図６（ａ）は二つ折りにした状態の身体調整器具を示し、図６（ｂ）は四つ折りにした状態の身体調整器具を示している。
【考案を実施するための形態】
【００１７】
以下、図面に基づいて、本考案の実施形態を説明する。
【００１８】
図１は、本考案の実施形態にかかる身体調整器具の概略斜視図（一部省略図）を示したものである。また、図２は、図１に示した身体調整器具のII部領域の拡大概略斜視図を示したものである。さらに、図３は、本実施形態にかかる身体調整器具を構成する駒部の概略図を示したものであって、図３（ａ）は駒部の正面図を示し、図３（ｂ）は駒部の側面図を示している。また、図４は本実施形態にかかる身体調整器具の製造工程概略図（一部省略図）を示したものであって、図４（ａ）は駒部の配置状態概略図を示し、図４（ｂ）は駒部の第一連結状態概略図を示し、図４（ｃ）は駒部の第二連結状態概略図を示し、図４（ｄ）は駒部の第三連結状態概略図を示している（詳細は後述する。）。さらに、図５は、本実施形態にかかる身体調整器具の使用状態概略斜視図（一例）を示したものである。また、図６は、本実施形態にかかる身体調整器具の折り曲げ状態概略図を示したものであって、図６（ａ）は二つ折りにした状態の身体調整器具を示し、図６（ｂ）は四つ折りにした状態の身体調整器具を示している。
【００１９】
図１および図２等に示すように、本実施形態にかかる身体調整器具１は、複数の駒部１０、連結紐部２１、連結接合部、および外周連結紐部２５を用いて構成されている。
【００２０】
より具体的には、図２の拡大図に示すように、縦方向（図１のＡ方向）に貫通孔部１３が略平行となるように連続的に配置された第一配置駒部１０Ａの列と、横方向（図１のＢ方向）に貫通孔部１３が略平行となるように連続的に配置された第二配置駒部１０Ｂの列とが、交互に配列されている。そして、これらの駒部１０（１０Ａ，１０Ｂ）が、後述する手順（後に図４を用いて詳細に説明する手順）にて、連結紐部２１、連結接合部２２、および外周連結紐部２５を用いて連結接続されている。
【００２１】
この身体調整器具１を構成する駒部１０は、図３に示すように、樽形状に形成されている。具体的には、この図３に示すように、曲面部１２と、その両面に設けられた平面部１３とを有し、この平面部１３間を貫通すべく、貫通孔部１４が穿孔されている。
【００２２】
本実施形態にかかる駒部１０は、木材等の天然素材にて構成されており、例えば、ヒノキが用いられる。この駒部１０は、図３に示すような形状に切り出された後、化学塗料等を使用せず、９０℃〜１２０℃（より好ましくは１００℃前後）の範囲内の温度に制御された米ぬかを用いて磨き上げられる。
【００２３】
また、この駒部１０に対しては、天日干しやアルコール消毒も施されている。
【００２４】
このような特殊処理を行うことによって、駒部１０の表面は、ヒノキ特有の色合いを醸し出す。また、このような高温での処理を行うことによって、駒部１０は、殺菌消毒され、非常に衛生的である。
【００２５】
本実施形態にかかる身体調整器具１は、図１等に示すように、上述した駒部１０を４８８個用いて構成されている（各図面においては適宜省略している）。以下、主に図４を用いて、その具体的な製造工程（組み上げ工程）について説明する。本実施形態にかかる身体調整器具１は、図４（ａ）、図４（ｂ）、図４（ｃ）、図４（ｄ）の順番で、組み上げ工程が行われる。
【００２６】
図４（ａ）は、駒部１０の配置状態概略図を示したものである。
【００２７】
この図４（ａ）に示すように、本実施形態においては、縦方向（図１のＡ方向）に貫通孔部１３が略平行となるように連続的に配置された第一配置駒部１０Ａの列と、横方向（図１のＢ方向）に貫通孔部１３が略平行となるように連続的に配置された第二配置駒部１０Ｂの列とが、交互に配列されている。
【００２８】
この図４（ａ）においては、便宜的に、左第一列に位置する第一配置駒部１０Ａの列と、左第三列に位置する第一配置駒部１０Ａの列とを構成するそれぞれの駒部１０について、下方位置から順番に（破断省略部まで）、１０Ａ１，１０Ａ２，１０Ａ３，１０Ａ４，１０Ａ５，１０Ａ６の符号を付している。また、上方位置については、左第一列に位置する第一配置駒部１０Ａの最上位と、左第三列に位置する第一配置駒部１０Ａの最上位とを構成するそれぞれの駒部１０について、１０ＡＹ，１０ＡＺの符号を付している。
【００２９】
さらに、この図４（ａ）においては、便宜的に、左第二列に位置する第二配置駒部１０Ｂの列を構成するそれぞれの駒部１０について、下方位置から順番に（破断省略部まで）、１０Ｂ１，１０Ｂ２，１０Ｂ３，１０Ｂ４の符号を付している。また、上方位置については、左第二列に位置する第二配置駒部１０Ｂの最上位とその下の駒部１０について、１０ＢＺ，１０ＢＹの符号を付している。
【００３０】
図４（ｂ）は、駒部１０の第一連結状態概略図を示したものである。
【００３１】
この図４（ｂ）においては、図面の煩雑化を避けるために、駒部１０に対する符号として、上述した図４（ａ）の添え字（例えば、「Ａ１」等）のみを付した。
【００３２】
この図４（ｂ）に示すように、本実施形態においては、二つの第一配置駒部１０Ａ（列）と、これらに挟まれた一つの第二配置駒部１０Ｂ（列）とが、一つ（一本）の連結紐部２１および一つの連結接合部２２を用いて連結接続されている。
【００３３】
より具体的には、本実施形態においては、まず、連結紐部２１が、駒部Ｂ１の貫通孔部１４に挿入された後、Ｌ１１方向に送り出されて、駒部Ａ１の貫通孔部１４に挿入される。次いで、この連結紐部２１は、駒部Ａ１の貫通孔部１４に挿入された後、Ｌ１２方向に送り出されて、駒部Ｂ２の貫通孔部１４に挿入される。次いで、この連結紐部２１は、駒部Ｂ２の貫通孔部１４に挿入された後、Ｌ２４方向に送り出されて、駒部Ａ４の貫通孔部１４に挿入される。次いで、この連結紐部２１は、駒部Ａ４の貫通孔部１４に挿入された後、Ｌ４３方向に送り出されて、駒部Ｂ３の貫通孔部１４に挿入される。次いで、この連結紐部２１は、駒部Ｂ３の貫通孔部１４に挿入された後、Ｌ３５方向に送り出されて、駒部Ａ５の貫通孔部１４に挿入される。次いで、この連結紐部２１は、駒部Ａ５の貫通孔部１４に挿入された後、Ｌ５４方向に送り出されて、駒部Ｂ５の貫通孔部１４に挿入される。
【００３４】
連結紐部２１は、上述したようにそれぞれの駒部１０Ａ，１０Ｂに連続して挿入される。そして、図４（ｂ）の上方位置においては、連結紐部２１が、駒部ＢＹの貫通孔部１４に挿入された後、ＬＹＹ方向に送り出されて、駒部ＡＹの貫通孔部１４に挿入される。次いで、この連結紐部２１は、駒部ＡＹの貫通孔部１４に挿入された後、ＬＹＺ方向に送り出されて、駒部ＢＺの貫通孔部１４に挿入される。
【００３５】
駒部ＡＹから駒部ＢＺに挿入された連結紐部２１は、次いで、駒部ＡＺおよび駒部ＢＹを経て、下方位置に戻ることとなる。そして、最終的には、駒部Ｂ２および駒部Ａ２を経て、連結紐部２１は、Ｌ２１方向に送り出されて連結紐部２１の始点箇所（この図４（ｂ）においては駒部Ａ２と駒部Ｂ１との間）に戻り、ここで一本の連結紐部２１の始点と終点とが連結接合部２２によって接合されることとなる。
【００３６】
ここで連結接合部２２は、例えば、合成樹脂等を用いて筒状に形成されており、この連結接合部２２内に連結紐部２１の始点と終点とが挿入され、熱圧着等にて連結紐部２１と連結接合部２２との連結接合が行われて、連結紐部２１を用いた駒部１０の第一連結状態が形成される。
【００３７】
上記においては、左第一列に位置する第一配置駒部１０Ａの列と、左第三列に位置する第一配置駒部１０Ａの列と、これらの間に位置する第二配置駒部１０Ｂとを用いて第一連結状態が構成されている。つまり、本実施形態においては、図４（ｂ）に示すように、三つの列（二つの第一配置駒部１０Ａの列、一つの第二配置駒部１０Ｂの列）が、一本の連結紐部２１と一つの連結接合部２２とを用いて、連結接合されている。そして、第一配置駒部１０Ａの列は、それぞれ隣接する第二配置駒部１０Ｂの列に対して、連結接合されている。したがって、例えば、この図４（ｂ）においては、左第三列に位置する第一配置駒部１０Ａの列と、左第五列に位置する第一配置駒部１０Ａの列と、これらの間に位置する第二配置駒部１０Ｂとを用いて第一連結状態が構成されることとなる。
【００３８】
また、本実施形態においては、連結紐部２１を用いて駒部１０Ａ，１０Ｂを連結接合する場合、連結紐部２１のテンション（張力）は、隣接する駒部１０同士が所定間隔を有し、駒部１０の一つ一つが抵抗なく可動可能な状態となるように、「緩く」張られている。これは、駒部１０を緩く組み上げて身体調整器具１を構成することによって、種々の作用効果を得るためである。
【００３９】
このような構成によれば、身体調整器具１を、折り曲げたり、丸めたりすることができ、身体調整器具１の大きさや形状等を自由に変更して、適切に人体のツボ等の刺激を行うことが可能となる。また、このような構成によれば、身体調整器具１を、適宜、折り曲げたり、丸めたりすることによって、自由に持ち運びすることができる。さらに、このような構成によれば、通気性も良好となるため、長時間使用しても蒸れることがない。
【００４０】
図４（ｃ）は、駒部１０の第二連結状態概略図を示したものである。
【００４１】
この図４（ｃ）においては、図面の煩雑化を避けるために、駒部１０に対する符号として、駒部１０Ａには「Ａ」のみを付し、駒部１０Ｂには「Ｂ」のみを付した。
【００４２】
この図４（ｃ）に示すように、本実施形態においては、上下左右の四つの端部領域（下端部領域Ｘ１，上端部領域Ｘ２，左端部領域Ｙ１，右端部領域Ｙ２）について、連結紐部２１と連結接合部２２とを用いて、複数の駒部１０が連結接続されている。
【００４３】
より具体的には、下端部領域Ｘ１および上端部領域Ｘ２については、二つの第二配置駒部１０Ｂと、これらに挟まれた一つの第一配置駒部１０Ａとが、一本の連結紐部２１および一つの連結接合部２２を用いて連結接続されている。また、左端部領域Ｙ１および右端部領域Ｙ２については、二つの第一配置駒部１０Ａと、これらに挟まれた一つの第二配置駒部１０Ｂとが、一本の連結紐部２１および一つの連結接合部２２を用いて連結接続されている。つまり、この図４（ｃ）においては、この四つの領域の連結接続が行われることによって、第二連結状態が構成されることとなる。
【００４４】
なお、図４（ｃ）における連結紐部２１の連結方法は、図４（ｂ）と同様であるため、ここでは、その説明は省略する。
【００４５】
また、この図４（ｃ）の場合も、連結紐部２１を用いて駒部１０Ａ，１０Ｂを連結接合する場合、連結紐部２１のテンション（張力）は、隣接する駒部１０同士が所定間隔を有し、駒部１０の一つ一つが抵抗なく可動可能な状態となるように、「緩く」張られている。これは、上述したように、駒部１０を緩く組み上げて身体調整器具１を構成することによって、種々の作用効果を得るためである。
【００４６】
図４（ｄ）は、駒部１０の第三連結状態概略図を示したものである。
【００４７】
この図４（ｄ）においては、図面の煩雑化を避けるために、駒部１０に対する符号として、駒部１０Ａには「Ａ」のみを付し、駒部１０Ｂには「Ｂ」のみを付した。
【００４８】
この図４（ｄ）に示すように、本実施形態においては、最外周部に位置する駒部１０Ａ，１０Ｂが、外周連結紐部２５を用いて「緩く」連結接続され、第三連結状態が構成される。この際、外周連結紐部２５が、最外周に位置する駒部１０Ａ，１０Ｂの全てに挿入されて一周した後には、その外周連結紐部２５の始点と終点とが結ばれ、外周連結紐結び部２５Ｍが構成される。
【００４９】
本実施形態においては、上述した図４（ａ）〜図４（ｄ）の工程を経て、駒部１０、連結紐部２１、連結接合部２２、および外周連結紐部２５を用いた、身体調整器具１が構成されている。
【００５０】
本実施形態にかかる身体調整器具１は、以上のように構成されており、その構成に基づき、使用時および収納時等において、次のような作用効果を有する。
【００５１】
本実施形態にかかる身体調整器具１は、就寝時等の仰臥状態にて使用可能な身体調整器具１であって、複数の駒部１０と、駒部１０を連結させ得る連結紐部２１とを用いて構成されており、駒部１０が曲面部１２を有する形状に形成されており、駒部１０の曲面部１２が人体の背面部等に接触すべく、複数の駒部１０が連結紐部２１にて平面状に連結接続されている。
【００５２】
このように構成された身体調整器具１は、例えば、敷布団の上に置いた状態で使用される。すなわち、本実施形態によれば、敷布団の上に置かれた身体調整器具１上に人が仰臥状態等に横になり、人体（例えば、背面部）と駒部１０（の曲面部１２）とが接触し、横になった人の自重等によって、人体のツボ等に刺激が与えられる。この際、この身体調整器具１によれば、睡眠時間を利用して、複数の駒部１０の曲面部１２に接触することによって、人体（のツボ等）に刺激が与えられるため、比較的簡単な構成および使用方法で、日々の治療を簡単に行うことができる。
【００５３】
また、本実施形態にかかる身体調整器具１は、それぞれの駒部１０が、隣接する駒部１０と所定間隔を有するように配置され、所定間隔を維持可能なテンション（張力）で、駒部１０が、連結紐部２１を用いて連結接続されている構成であることが好ましい。すなわち、本実施形態にかかる身体調整器具１は、複数の駒部１０が連結紐部２１を用いて「緩く組み上げた構成」であることが好ましい。
【００５４】
この好ましい構成によれば、駒部１０が所定間隔を維持可能であるように緩く組み上げられているため、身体調整器具１自身の取り扱いに関する自由度が増す。すなわち、必要に応じて、身体調整器具１を折り曲げたり、丸めたりすることができる。このような構成によれば、折り曲げたり、丸めたりすることによって、身体調整器具１の大きさや形状等を自由に変更して、適切に人体のツボ等の刺激を行うことができる。また、このような構成によれば、複数の駒部１０が連結紐部２１を用いて緩く組み上げられているため、適宜、折り曲げたり、丸めたりすることによって、自由に持ち運びすることができる。さらに、このような構成によれば（緩く組み上げられた構成によれば）、通気性も良好となるため、長時間使用しても蒸れることがない。
【００５５】
また、本実施形態にかかる身体調整器具１は、駒部１０が樽形状に形成されており、樽形状を有する駒部１０の平面部１３間を貫通すべく、平面部１３の略中央部に貫通孔部１４が設けられ、駒部１０の貫通孔部１４に対して、連続して連結紐部２１を挿入することによって、複数の駒部１０が平面状に連結接続されている構成が好ましい。
【００５６】
この好ましい構成によれば、比較的簡単に、種々の作用効果（健康回復、健康促進、体調改善等）を有する身体調整器具１を得ることができる。
【００５７】
本実施形態にかかる身体調整器具１は、例えば、図５に示すように使用される。ここで、図５は、本実施形態にかかる身体調整器具１の使用状態概略斜視図（一例）を示したものである。
【００５８】
この図５に示すように、本実施形態にかかる身体調整器具１は、人が就寝する際、人体Ｈと敷布団Ｆとの間に配設する。すなわち、使用する人Ｈは、敷布団Ｆに置かれた身体調整器具１の上に仰臥状態で寝ることによって、種々の作用効果を得ることができる。
【００５９】
本実施形態にかかる身体調整器具１は、就寝時に利用可能であるため、人生の三分の一を占める睡眠時間を有効に活用することができる。つまり、敷布団Ｆ、シーツ、あるいはベッドの上に、身体調整器具１を敷き、人Ｈがその上に寝ることによって、脊髄周辺、腰部、尻部、股間部、あるいは肩部等について、自己体重による指圧的な措置を施すことができる。
【００６０】
さらに、本実施形態にかかる身体調整器具１は、駒部１０を緩く組み上げて構成されているため、種々の作用効果を得ることができる。ここで、図６は、本実施形態にかかる身体調整器具１の折り曲げ状態概略図を示したものであって、図６（ａ）は二つ折りにした状態の身体調整器具１Ｄを示し、図６（ｂ）は四つ折りにした状態の身体調整器具１Ｆを示している。
【００６１】
本実施形態にかかる身体調整器具１は、駒部１０を緩く組み上げているため、図６（ａ）に示すように、仮想線（二点鎖線）にて示した身体調整器具１を二つ折りにすることができる。図６（ａ）においては、実線にてこの二つ折りにした状態の身体調整器具１Ｄを示している。また、図６（ｂ）に示すように、仮想線（二点鎖線）にて示した二つ折りにした状態の身体調整器具１Ｄをさらに四つ折りにすることができる。図６（ｂ）においては、実線にてこの四つ折りにした状態の身体調整器具１Ｆを示している。
【００６２】
本実施形態にかかる身体調整器具１は、上述したように、適宜、折り曲げたり、丸めたり（図示省略）して、利用することが可能である。したがって、本実施形態によれば、身体調整器具１の大きさや形状を工夫して、適切な身体の部位への指圧作用、介護への利用、あるいは床ずれ防止等にも活用可能である。
【００６３】
以上のことから、本実施形態によれば、就寝時等に使用することによって日々の治療を簡単に行うことが可能であって、比較的簡単な構成および使用方法により、健康回復、健康促進、体調改善等を実現可能な、身体調整器具１を得ることができる。
【００６４】
＜その他の実施例等＞
なお、本考案は、上記実施形態に限定されるものではなく、本考案の趣旨に適合し得る範囲で必要に応じて種々の変更を加えて実施することも可能であり、それらはいずれも本考案の技術的範囲に含まれる。
【００６５】
上記実施形態においては、敷布団と人（の背中）との間に本考案にかかる身体調整器具１を配置する場合、すなわち、敷布団の上に身体調整器具１を配置し、その上に人が寝る場合について説明したが、本考案はこの構成に限定されない。したがって、例えば、身体調整器具１の上にタオルケットや敷布等を被せ、その上に人が寝るような構成としてもよい。
【００６６】
また、上記実施形態においては、身体調整器具１が人の背面部程度の大きさである場合について説明したが、本考案はこの構成に限定されず、使用する人の体調不良が解消可能であれば、その大きさは適宜変更可能である。したがって、例えば、身体調整器具１は、敷布団と同様の大きさであってもよい。また、身体調整器具１は、身体の特定部位のみに接するような大きさ（上記実施形態よりも小さい状態）であってもよい。
【００６７】
さらに、上記実施形態においては、駒部１０がヒノキを用いて構成される場合について説明しが、本考案はこの構成に限定されず、必要に応じて、他の木材、あるいは他の天然素材を用いてもよい。
【００６８】
また、上記実施形態においては、駒部１０が樽形状である場合について説明したが、本考案はこの構成に限定されず、曲面部を有する形状であれば、どのような形状も利用可能である。したがって、例えば、必要に応じて、球形状、半球形状、円柱形状等であってもよい。
【００６９】
さらに、上記実施形態においては、４８８個の駒部１０を用いて身体調整器具１が構成される場合について説明したが、本考案はこの構成に限定されず、必要とされる身体調整器具１の大きさ等に応じて、異なる個数の駒部１０を用いて身体調整器具１を構成してもよい。さらに、一つの駒部１０の大きさについても、上記実施形態に限定されず、必要に応じて、駒部１０の大きさを変更してもよい。この場合には、当然のことながら、用いる駒部１０の個数を変更してもよい。
【産業上の利用可能性】
【００７０】
就寝の際に、敷布団上に本考案にかかる身体調整器具を配置することによって、健康回復、健康促進、体調改善等を実現可能となる。つまり、敷布団と人体との間に身体調整器具を配置することによって、人体の自重によってツボ等が刺激され、日々、体調不良等の治療を行うことが可能となる。
【符号の説明】
【００７１】
１…身体調整器具
１Ｄ…身体調整器具（二つ折りにした状態の身体調整器具）
１Ｆ…身体調整器具（四つ折りにした状態の身体調整器具）
１０…駒部
１０Ａ…駒部（第一配置駒部）
１０Ｂ…駒部（第二配置駒部）
１２…曲面部
１３…平面部
１４…貫通孔部
２１…連結紐部
２２…連結接合部
２５…外周連結紐部
２５Ｍ…外周連結紐結び部
【図１】
0003155580.tif 000003
【図２】
0003155580.tif 000004
【図３】
0003155580.tif 000005
【図４】
0003155580.tif 000006
【図５】
0003155580.tif 000007
【図６】
0003155580.tif 000008